(57)【要約】      （修正有）【課題】簡単な操作で回動座を回動／固定状態の間で切り替えることができる回転固定装置を提供する。【解決手段】回転軸Ｌと直交する側面板３２を有する固定手段３と、回転軸Ｌを中心に回動可能に固定手段３に取り付けられている回動手段４と、を備えている回転固定装置であって、側面板３２は、回転軸Ｌが通過する箇所に凹設されている回動凹部３２２と、回転軸Ｌを中心とする円弧線に沿って形成されたガイド溝３２３と、を有する。さらに、回動手段４は、回転軸Ｌを中心に回動可能に回動凹部３２２を挿通する枢支部４２が形成されている端板４１と、ガイド溝３２３を挿通するように端板４１に固定されているガイドピン５と、を備える。【選択図】図２
0003177139.tif 000002
【実用新案登録請求の範囲】
【請求項１】
照明手段を所定の平面に平行な回転軸を中心に回動可能に該平面に取り付けることができるように、前記平面に固定されることができると共に、前記回転軸と直交する側面板を有する固定手段と、前記照明手段に固定されることができると共に、前記回転軸を中心に回動可能に前記固定手段に取り付けられている回動手段と、を備えている回転固定装置であって、
前記側面板は、前記回転軸が通過する箇所に凹設されている回動凹部と、前記回転軸を中心とする円弧線に沿って形成されたガイド溝と、を有するように形成されており、
前記回動手段は、前記回転軸を中心に回動可能に前記回動凹部を挿通する枢支部が形成されていると共に、前記照明手段に取り付けられることができる端板と、前記ガイド溝を挿通するように前記端板に固定されているガイドピンと、を備えていることを特徴とする回転固定装置。
【請求項２】
前記ガイドピンは、前記ガイド溝を挿通してから前記端板に螺合して固定されているねじ部と、前記側面板の前記端板に面する側の反対側に露出し、且つ前記ねじ部の一端に固定されているヘッド部と、前記ヘッド部に形成されているつまみ部と、を有することを特徴とする請求項１に記載の回転固定装置。
【請求項３】
前記端板は、前記側面板に面する第１面と、前記第１面の反対側にあって前記照明手段に取り付けられることができる第２面と、を有しており、
前記枢支部は、前記回転軸を中心として前記第１面から突出して前記回動凹部を挿通する第１の環状壁と、前記回転軸を中心として前記第２面から突出して前記照明手段に挿し込むことができる第２の環状壁と、を有していることを特徴とする請求項１または請求項２に記載の回転固定装置。
【請求項４】
前記第１の環状壁、前記端板及び前記第２の環状壁を挿通している電気コード設置座を更に備えていることを特徴とする請求項３に記載の回転固定装置。
【請求項５】
前記第１の環状壁の外周面には、前記側面板の前記回動凹部の内周縁と嵌合する係止溝が凹設されていることを特徴とする請求項３または請求項４に記載の回転固定装置。
【請求項６】
請求項４に記載の回転固定装置と、前記回動手段の前記端板に固定されている照明手段と、を備えた照明装置であって、
一端が電源と接続することができるように構成され、他端が前記電気コード設置座を通過して前記照明手段に取り付けられている電気コードを備えていることを特徴とする照明装置。
【考案の詳細な説明】
【技術分野】
【０００１】
本考案は回転固定装置及び該回転固定装置を備えた照明装置に関し、特に、照明手段を所定の平面に平行な回転軸を中心として回動可能に該平面に取り付ける回転固定装置及び該回転固定装置を備えた照明装置に関する。
【背景技術】
【０００２】
照明手段を例えば壁面や天井など所定の平面に取り付け、且つ該平面に平行な回転軸を中心として回動可能にする従来の回転固定装置として、例えば特許文献１に記載されているものがある。図１は該従来の回転固定装置の構成が示されている斜視図であり、図示されているように、該従来の回転固定装置は、前記平面に固定されることができると共に、前記回転軸と直交する一対の側面板１１と、該一対の側面板１１の間に取り付けられている回動座１２と、を備えている。
【０００３】
回動座１２には、照明手段１６が形成されていると共に、回動座１２は、側面板１１を貫通する枢支棒１５によって、前記回転軸を中心に回動可能に側面板１１に枢支されており、回動座１２には、更にガイドピン１４が取り付けられている。ガイドピン１４は回動座１２の回動に従って、側面板１１に形成されている円弧状ガイド溝１３に沿って往復動できるように取り付けられている。
【０００４】
該従来の回転固定装置では、枢支棒１５及びガイドピン１４を緩めると、回動座１２を一対の側面板１１が固定されている平面に平行な回転軸を中心として回動させることができ、そして枢支棒１５及びガイドピン１４を締め付けると、照明手段１６を所定の照明角度に固定することができる。
【先行技術文献】
【特許文献】
【０００５】
【特許文献１】台湾登録実用新案第Ｍ４１３８１０号明細書
【考案の概要】
【考案が解決しようとする課題】
【０００６】
上記のように、該従来の回転固定装置では枢支棒１５及びガイドピン１４両方を操作しなければ回動座１２を回動／固定状態の間で切り替えることができず、操作が不便である。
【０００７】
本考案は、従来より簡単な操作で回動座を回動／固定状態の間で切り替えることができる回転固定装置及び該回転固定装置を備えた照明装置の提供を目的とする。
【課題を解決するための手段】
【０００８】
上記目的を達成すべく、本考案は、照明手段を所定の平面に平行な回転軸を中心に回動可能に該平面に取り付けることができるように、前記平面に固定されることができると共に、前記回転軸と直交する側面板を有する固定手段と、前記照明手段に固定されることができると共に、前記回転軸を中心に回動可能に前記固定手段に取り付けられている回動手段と、を備えている回転固定装置であって、前記側面板は、前記回転軸が通過する箇所に凹設されている回動凹部と、前記回転軸を中心とする円弧線に沿って形成されたガイド溝と、を有するように形成されており、前記回動手段は、前記回転軸を中心に回動可能に前記回動凹部を挿通する枢支部が形成されていると共に、前記照明手段に取り付けられることができる端板と、前記ガイド溝を挿通するように前記端板に固定されているガイドピンと、を備えていることを特徴とする回転固定装置を提供する。
【０００９】
上記回転固定装置において、前記ガイドピンは、前記ガイド溝を挿通してから前記端板に螺合して固定されているねじ部と、前記側面板の前記端板に面する側の反対側に露出し、且つ前記ねじ部の一端に固定されているヘッド部と、前記ヘッド部に形成されているつまみ部と、を有することが好ましい。
【００１０】
上記回転固定装置において、前記端板は、前記側面板に面する第１面と、前記第１面の反対側にあって前記照明手段に取り付けられることができる第２面と、を有しており、前記枢支部は、前記回転軸を中心として前記第１面から突出して前記回動凹部を挿通する第１の環状壁と、前記回転軸を中心として前記第２面から突出して前記照明手段に挿し込むことができる第２の環状壁と、を有していることが好ましい。
【００１１】
上記回転固定装置において、前記第１の環状壁、前記端板及び前記第２の環状壁を挿通している電気コード設置座を更に備えていることが好ましい。
【００１２】
上記回転固定装置において、前記第１の環状壁の外周面には、前記側面板の前記回動凹部の内周縁と嵌合する係止溝が凹設されるように構成することもできる。
【００１３】
更に、本考案は上記回転固定装置と、前記回動手段の前記端板に固定されている照明手段と、を備えた照明装置をも提供する。
【００１４】
該照明装置は、一端が電源と接続することができるように構成され、他端が前記電気コード設置座を通過して前記照明手段に取り付けられている電気コードを備えていることが好ましい。
【考案の効果】
【００１５】
上記構成により、本考案の回動手段は、枢支部が固定手段の側面板に形成されている回動凹部に回転可能に嵌合しているので、ガイドピンを操作するだけで回動座を回動／固定状態の間に切り替えることができる。
【図面の簡単な説明】
【００１６】
【図１】従来の回転固定装置の構成例が示されている斜視図である。
【図２】本考案の回転固定装置の第１の実施形態及び該回転固定装置を備えた照明装置の分解図である。
【図３】本考案の第１の実施形態の組み立て状態の斜視図である。
【図４】本考案の第１の実施形態の側面図である。
【図５】本考案の第１の実施形態の断面図である。
【図６】本考案の第１の実施形態の回転状態が示されている側面図である。
【図７】本考案の第２の好ましい実施形態の斜視図である。
【図８】本考案の第２の好ましい実施形態の断面図である。
【図９】本考案の第３の好ましい実施形態の斜視図である。
【考案を実施するための形態】
【００１７】
以下では図２〜図６を参照しながら、本考案の第１の好ましい実施形態について詳しく説明する。
【００１８】
図２は本考案の回転固定装置の第１の実施形態及び該回転固定装置を備えた照明装置の分解図であり、図３はその組み立て状態の斜視図であり、図４はその側面図であり、図５は図４におけるＶ−Ｖ線に沿った断面図であり、図６はその回転状態が示されている側面図である。
【００１９】
図示されているように、本考案の回転固定装置の第１の実施形態は、照明手段１０を例えば壁面や天井など所定の平面１１（図５、図６参照）に平行な回転軸Ｌを中心に回動可能に該平面に取り付けることができるものであり、平面１１に固定されることができる一対の固定手段３と、照明手段１０に固定されることができると共に、回転軸Ｌを中心に回動できるように該一対の固定手段３の間に取り付けられている回動手段４と、を備えている。また、本考案はこの回転固定装置を備えた照明装置をも提供し、本考案の照明装置は上記回転固定装置と、該回転固定装置の回動手段に取り付けられている照明手段と、照明手段に取り付けられている給電手段と、を備えている。
【００２０】
一対の固定手段３は、それぞれ平面１１に貼り合わされて固定されることができる固定板３１と、固定板３１及び回転軸Ｌと直交する側面板３２と、を有している。
【００２１】
側面板３２は、回転軸Ｌが通過する箇所に凹設されている回動凹部３２２と、回転軸Ｌを中心とする円弧線に沿って形成されたガイド溝３２３と、を有するように形成されている。
【００２２】
回動手段４は、一対の固定手段３がそれぞれ有している側面板３２にそれぞれ対応している１対の端板４１と、回転軸Ｌを中心に回動可能に各端板４１に形成され且つ回動凹部３２２を挿通することができるように、各端板４１にそれぞれ形成されている枢支部４２と、各端板４１に形成されたガイド溝３２３を挿通するように各端板４１に固定されているガイドピン５と、を備えている。
【００２３】
図３に示されているように、この実施形態において、回動手段４が有する１対の端板４１は、照明手段１０の長さ方向両端にそれぞれ固定されている。各端板４１の周縁にそれぞれ照明手段１０側へ突出する周壁４３が形成されており、２つの端板４１にそれぞれ形成された周壁４３は、照明手段１０の長さ方向両端部をそれぞれ囲んで保持することができる。
【００２４】
図５に示されているように、各端板４１は、側面板３２に面する第１面４１１と、第１面４１１の反対側にあって照明手段１０に取り付けられることができる第２面４１２と、を有しており、枢支部４２は、回転軸Ｌを中心とする円環状になるように第１面４１１から突出して回動凹部３２２を挿通する第１の環状壁４２１と、回転軸Ｌを中心とする円環状になるように第２面４１２から突出して照明手段１０に挿し込むことができる第２の環状壁４２２と、を有している。
【００２５】
回転固定装置の使用中では、照明手段１０に電力を供給する給電手段としての電気コード７は、一端が電源と接続することができるように構成され、他端が前記電気コード設置座６を通過して且つ第１の環状壁４２１、端板４１及び第２の環状壁４２２を貫通して照明手段１０に取り付けられている。また、電気コード設置座６と第１の環状壁４２１の先端との間には、座金８が配置されている。
【００２６】
第２の環状壁４２２を形成することにより、電気コード７を枢支部４２に深く挿入することができ、電気コード７をより確実に保持することができる。
【００２７】
図２、図３及び図５に示されているように、ガイドピン５は、ガイド溝３２３を貫通してから端板４１に突設されている調整座４６に螺合して固定されているねじ部５１と、側面板３２の端板４１に面する側の反対側に露出しておりねじ部５１の一端に固定されているヘッド部５２と、ヘッド部５２に形成されているつまみ部５３と、ヘッド部５２と側面板３２との間に挟まれているばね座金５４及び平座金５５と、を備えている。
【００２８】
この構成により、本考案の回転固定装置は、枢支部４２が回動可能に各端板４１に形成された回動凹部３２２を挿通するので、ガイドピン５のつまみ部５３を回すだけでガイドピン５のヘッド部５２と端板４１との側面板３２に対する挟持力及びこの挟持力によって生じる摩擦力を調整できる。即ち、つまみ部５３を回して側面板３２に対する挟持力を弱めると、図６に示されているように、回動手段４はガイドピン５がガイド溝３２３に沿って往復動すると共に、回転軸Ｌを中心に回動することができ、そしてつまみ部５３を回して側面板３２に対する挟持力を強めると、側面板３２とヘッド部５２と端板４１との間に生じる摩擦力も強くなるので、この強まった摩擦力で回動手段４及び照明手段１０は、一対の固定手段３がそれぞれ有している側面板３２の間に保持されて一時固定されるようになる。
【００２９】
次いで、図７及び図８を参照しながら、本考案の第２の好ましい実施形態について説明する。図７は第２の好ましい実施形態の斜視図であり、図８はその断面図である。図示されているように、本考案の第２の好ましい実施形態は第１の好ましい実施形態と類似する構成になっているので、以下ではその相違点のみを説明する。
【００３０】
本考案の第２の好ましい実施形態は、図７及び図８に示されているように、回動手段４の枢支部４２が有する第１の環状壁４２１の外周面に、固定手段３の側面板３２に形成された回動凹部３２２の内周縁と嵌合する係止溝４２３が凹設されている。この構成により、回動手段４の回動は係止溝４２３と回動凹部３２２の内周縁との嵌合により更に案内され、より安定的に回動することができる。
【００３１】
次いで、図９を参照しながら、本考案の第３の好ましい実施形態について説明する。図示されているように、本考案の回転固定装置は１つの固定手段３と、該１つの固定手段３に対応する１つの回動手段４と、のみを有するように構成されることができる。この場合はバランスを保つため、回動手段４に取り付けられている照明手段１０が吊り下がるように配置されることが好ましい。
【産業上の利用可能性】
【００３２】
上記構成により、本考案の回動手段は、枢支部が固定手段の側面板に形成されている回動凹部に回転可能に嵌合しているので、ガイドピンを操作するだけで回動座を回動／固定状態の間で切り替えることができる。
【符号の説明】
【００３３】
１０  照明手段
１１  平面
３  固定手段
３１  固定板
３２  側面板
３２２  回動凹部
３２３  ガイド溝
４  回動手段
４１  端板
４１１  第１面
４１２  第２面
４２  枢支部
４２１  第１の環状壁
４２２  第２の環状壁
４２３  係止溝
４３  周壁
４６  調整座
５  ガイドピン
５１  ねじ部
５２  ヘッド部
５３  つまみ部
５４  ばね座金
５５  平座金
６  電気コード設置座
７  電気コード
８  座金
Ｌ  回転軸
【図１】
0003177139.tif 000003
【図２】
0003177139.tif 000004
【図３】
0003177139.tif 000005
【図４】
0003177139.tif 000006
【図５】
0003177139.tif 000007
【図６】
0003177139.tif 000008
【図７】
0003177139.tif 000009
【図８】
0003177139.tif 000010
【図９】
0003177139.tif 000011